(57)【要約】【課題】  ＩＤ３−ＴＡＧ情報に何らテキストデータが記憶されていない場合であっても再生中の音声データに関する情報が表示可能にすることを目的とする。【解決手段】  音声データと該音声データに対応付けられたテキストデータとが記憶されたプログラム領域と前記音声データに付せられたファイル名が管理される管理領域とを有する記憶媒体と、再生手段によって再生された前記テキストデータおよび前記ファイル名を記憶する記憶手段と、再生手段によって前記音声データが再生されているときに前記テキストデータを前記記憶手段より読み出し表示する表示手段と、を備えた音声再生装置において、前記表示手段は、前記再生手段によって再生されている前記音声データに対応付けられた前記テキストデータが前記記憶手段に記憶されていない場合は、前記記憶手段より再生されている前記音声データに付せられたファイル名を読み出し表示する。【選択図】        図６
2005251287.tif 000002
【特許請求の範囲】
【請求項１】
音声データと該音声データに対応付けられたテキストデータとが記憶されたプログラム領域と前記音声データに付せられたファイル名が管理される管理領域とを有する記憶媒体と、該記憶媒体を再生する再生手段と、該再生手段によって再生された前記テキストデータおよび前記ファイル名を記憶する記憶手段と、前記再生手段によって前記音声データが再生されているときに再生されている前記音声データに対応付けられた前記テキストデータを前記記憶手段より読み出し表示する表示手段と、を備えた音声再生装置において、
前記表示手段は、前記再生手段によって再生されている前記音声データに対応付けられた前記テキストデータが前記記憶手段に記憶されていない場合は、前記記憶手段より再生されている前記音声データに付せられた前記ファイル名を読み出し表示することを特徴とする音声再生装置。
【請求項２】
音声データと該音声データに対応付けられたテキストデータとが記憶されたプログラム領域と前記音声データが集合化されて管理されるフォルダ名と前記音声データに付せられたファイル名とが管理される管理領域とを有する記憶媒体と、該記憶媒体を再生する再生手段と、該再生手段によって再生された前記テキストデータと前記ファイル名および前記フォルダ名を記憶する記憶手段と、前記再生手段によって前記音声データが再生されているときに再生されている前記音声データに対応付けられた前記テキストデータを前記記憶手段より読み出し表示する表示手段と、を備えた音声再生装置において、
前記表示手段は、前記再生手段によって再生されている前記音声データに対応付けられた前記テキストデータが前記記憶手段に記憶されていない場合は、再生されている前記音声データが属するグループに対する前記フォルダ名および／または再生されている前記音声データに付せられた前記ファイル名を前記記憶手段より読み出し表示すること特徴とする音声再生装置。
【請求項３】
前記ファイル名は前記音声データの種類を表す拡張子を含み、前記表示手段は前記ファイル名を表示するとき前記拡張子を除いたファイル名を表示することを特徴とする請求項１または２に記載の音声再生装置。
【発明の詳細な説明】
【技術分野】
【０００１】
本発明は、再生対象の楽曲データ等を識別するための識別名称を適切に表示することができる音声再生装置に関する。
【背景技術】
【０００２】
データ圧縮技術の技術的進歩により、例えばＭＰ３（ＭＰＥＧ１  Ａｕｄｉｏ  Ｌａｙｅｒ  ３）方式のデータ圧縮においては、音声データ圧縮に伴う音声劣化を抑えながらその音声データのデータ量を約１０分の１程度に圧縮することができ、近時、その普及が急速に広まりつつあり車載用の再生装置も市販されるようになった。
【０００３】
ところで、このＭＰ３の音声データにはテキストデータが入力可能なＩＤ３−ＴＡＧ情報がヘッダに記憶可能であり、曲名やアーティスト名等が記録可能であって、このＩＤ３−ＴＡＧ情報を用いて音声データの再生時には曲名やアーティスト名等が表示可能となっている。
【発明の開示】
【発明が解決しようとする課題】
【０００４】
しかしながら、車載用の音声再生装置のように表示部が大きく設けることができない装置の場合、再生中の音声データに関する情報の表示しか行うことができない。その為、ＩＤ３−ＴＡＧ情報に何らテキストデータが記憶されていない場合は、曲名やアーティスト名等は表示することはできず、表示部に「ＮＯ  ＴＩＴＬＥ」や「ＮＯ  ＮＡＭＥ」等の表示を行っており、使用者は現在再生されている音声データがどの音声データかがわからず使い勝手の悪いものであった。
【課題を解決するための手段】
【０００５】
本発明の音声再生装置はかかる点に鑑みなされたもので、音声データと該音声データに対応付けられたテキストデータとが記憶されたプログラム領域と前記音声データに付せられたファイル名が管理される管理領域とを有する記憶媒体と、該記憶媒体を再生する再生手段と、該再生手段によって再生された前記テキストデータおよび前記ファイル名を記憶する記憶手段と、前記再生手段によって前記音声データが再生されているときに再生されている前記音声データに対応付けられた前記テキストデータを前記記憶手段より読み出し表示する表示手段と、を備えた音声再生装置において、前記表示手段は、前記再生手段によって再生されている前記音声データに対応付けられた前記テキストデータが前記記憶手段に記憶されていない場合は、前記記憶手段より再生されている前記音声データに付せられたファイル名を読み出し表示する。
【０００６】
また、音声データと該音声データに対応付けられたテキストデータとが記憶されたプログラム領域と前記音声データが集合化されて管理されるフォルダ名と前記音声データに付せられたファイル名とが管理される管理領域とを有する記憶媒体と、該記憶媒体を再生する再生手段と、該再生手段によって再生された前記テキストデータと前記ファイル名および前記フォルダ名を記憶する記憶手段と、前記再生手段によって前記音声データが再生されているときに再生されている前記音声データに対応付けられた前記テキストデータを前記記憶手段より読み出し表示する表示手段と、を備えた音声再生装置において、前記表示手段は、前記再生手段によって再生されている前記音声データに対応付けられた前記テキストデータが前記記憶手段に記憶されていない場合は、再生されている前記音声データが属するグループに対するフォルダ名および／または再生されている前記音声データに付せられたファイル名を前記記憶手段より読み出し表示する。
【０００７】
更に、前記ファイル名は音声データの種類を表す拡張子を含み、前記表示手段は前記ファイル名を表示するとき前記拡張子を除いたファイル名を表示する。
【発明の効果】
【０００８】
本発明によると、ＭＰ３形式の音声圧縮されたデータに用いられるＩＤ３−ＴＡＧ等のように音声データ毎にその音声データに関するテキストデータが記録されていない場合であっても、現在再生されている音声データに関する情報が表示できるので、使用者にとって使い勝手が良い音声再生装置を提供することができる。
【発明を実施するための最良の形態】
【０００９】
以下、本発明の実施の形態を図に基づき説明する。
【００１０】
図１は本発明の一実施形態に係るＭＰ３再生機能搭載の音声再生装置の要部の構成を示す図である。この音声再生装置は、ディスク（図示せず）に格納された音声データを再生可能な機器であり、制御回路１と、ディスクを再生する再生手段２と、デコーダ部３と、スピーカ４と、入力手段５と、表示手段６と、ＲＯＭ７と、ＲＡＭ８とから構成される。
【００１１】
なお、音声再生装置において再生対象となるディスクは、ＣＤテキスト規格の音楽ＣＤ（ＣＤ−ＤＡ）、ＣＤ−Ｒ及びＣＤ−ＲＷ、ＤＶＤ等の光ディスクやハードディスク（ＨＤＤ）等である。ここで、ディスク１１は図２（ａ）に示すオーディオフォーマットのＣＤ（ＣＤ−ＤＡ）又は、図２（ｂ）に示すＣＤ−ＲＯＭファーマットのＣＤ−Ｒ及びＣＤ−ＲＷからなる。
【００１２】
具体的に説明すると、ＣＤテキスト規格のディスクには、図２（ａ）に示すようにリードイン領域２１、及びリードアウト領域２５が配置されている。リードイン領域２１には、ＴＯＣ（Ｔａｂｌｅ  Ｏｆ  Ｃｏｎｔｅｎｓ）２２及び、テキストデータ２３が配置されている。ＴＯＣ２２には、後述するデータ領域２４に記憶された音声データのアドレスや再生時間等からなる目次情報が記録されている。一方、テキストデータ２３にはディスクタイトル及び複数のトラックタイトルからなる情報が記憶されている。また、データ領域２４には、少なくとも１以上の音声データが記録されている。そして、リードアウト領域２５には、ディスクの終端を示す情報が記録されている。
【００１３】
一方、ＣＤ−Ｒ等のディスクには、図２（ｂ）に示すように、図２（ａ）のＣＤテキスト規格のディスクに記録されている情報の他に、ＰＶＤ（Ｐｒｉｎａｒｙ  Ｖｏｌｕｍｅ  Ｄｅｓｃｒｉｐｔｉｏｎ）２６及びパステーブル２７が配置されている。ＰＶＤ２６には、データ領域２４に記録された音声データ等のファイル構造を規定する情報（階層構造等）が記憶されている。例えば、音声データが図２（ｃ）に示すようなファイル構造から構成される場合、ＰＶＤ２６には、このファイル構造を規定する階層情報が記録されている。また、パステーブル２７には、ＰＶＤ２６にて規定されるファイル構造中の各音声データのアドレスすなわち、データ領域に記録された楽曲データのアドレス等が記録されている。
【００１４】
図２（ｂ）に示すリードイン領域２１には、ＴＯＣ２２が記録されている。このＴＯＣ２２には、ＰＶＤ２６のアドレス等からなる目次情報が記録されている。また、データ領域２４には、ＭＰ３形式にて圧縮された複数の音声データが記録されている。そして、リードアウト領域２５には、ディスクの終端を示すデータが記録されている。なお、ＣＤ−Ｒの場合には、図２（ａ）に示すオーディオフォーマットにて音声データが記録されている場合もあり、即ち、ＣＤ−ＲにＣＤテキスト規格の内容がそのまま記録されている場合もある。
【００１５】
図３はデータ領域２４に記憶さるＭＰ３形式にて圧縮された音声データを示す図である。ヘッダ３１にはＭＰ３形式のデータであることを示すＩＤやレイヤー等の伸長に必要な情報が記憶され、さらには使用者などによって例えば曲名やアーティスト名等のテキストデータを任意に記録可能なＩＤ３−ＴＡＧ等が記録されている。圧縮された音声データは複数のフレーム３２に分割され記憶され、フッタ３３には、ディスクの終端を示すデータが記録されている。なお、ＩＤ３−ＴＡＧはヘッダ３１に記憶されるだけでなくフッタ３３に記憶される場合もある。
【００１６】
図１に戻り、制御回路１はＣＰＵ等を含んだマイコンチップ等からなり音声再生装置全体を制御する。２は制御回路１の指示に基づいてディスクに記憶された音声データを読み出す再生手段であり、再生されたデータがＭＰ３形式に圧縮された音声データである場合に、デコーダ部３に出力してデコーダ部３で圧縮された音声データを伸長し、伸長後のデータをアナログの音声信号に変換し、変換した音声信号を図示しないアンプで増幅しスピーカ４により音声として出力する。
【００１７】
入力部５はキースイッチやロータリースイッチ等からなり、使用者の操作に従った指示情報を入力し、入力した情報を制御回路１に出力する。
【００１８】
表示手段６は、蛍光表示管やＬＣＤ等からなり、制御回路１に制御され操作状況や上述したＩＤ３−ＴＡＧの情報や後述するテキストテーブルの内容等の文字列等を表示する。
【００１９】
ＲＯＭ７は音声再生装置の動作に必要なプログラムが記憶されており制御回路１は、ＲＯＭ７に記憶されたプログラムに基づいて音声再生装置を制御する。また、ＲＡＭ８は再生手段２によって読み出される音声データのヘッダやフッタの情報や図４に示すようなテキストテーブル４１を記憶する。図４に示すテキストテーブル４１は、ディスクがＣＤテキスト形式の音楽ＣＤである場合に、ディスクに記憶されているテキストデータを管理し、また、ディスクにＭＰ３形式の音声データが記録されている場合に、ディスクに記憶された音声データのファイル名等を管理するテーブルである。すなわち、テキストテーブル４１はディスクタイトル及びトラックタイトルを記憶し、また、ディスクにＭＰ３形式の音声データが記憶されている場合に、フォルダ名及びファイル名を記憶する。
【００２０】
以下、本発明の実施の形態にかかる音声再生装置の動作について図５および図６を用いて説明する。図５は、再生対象となるディスクに記憶された情報からテキストテーブル４１を生成する初期処理を説明するためのフローチャートである。また、図６は、初期処理にて生成されたテキストテーブル４１やＩＤ３−ＴＡＧ情報に従って、音声データを識別するファイル名等のテキスデータを表示しながら音声を再生する再生処理を説明するためのフローチャートである。
【００２１】
まず、図５に示す初期処理について説明する。図５に示す初期処理は、ディスクが再生手段２に格納された状態で電源が投入された場合や、電源投入後に新たなディスクが装填された場合に開始される。まず、制御回路１はＲＡＭ８に記憶されているテキストテーブル４１を消去し（ステップＳ５１）、ディスク種別を判別する（ステップＳ５２）。ディスクの判別は従来より知られているディスクの記録層の反射率の違いやディスク表面から記録層までの距離等を計測しディスクがＣＤ−Ｒ等の書き込み可能なディスクであるか否かを判別する。
【００２２】
一方、ステップＳ５２においてＣＤ−Ｒ等である（書き込み可能なディスクである）と判別した場合（ステップＳ５２のＹ）、ディスクの所定位置にファイル構造を規定する情報（階層情報）が記録されているか否か、すなわち、ＰＶＤが記録されているか否かを判定する（ステップＳ５３）。
【００２３】
ステップＳ５３に於いて、ＰＶＤが記録されていないと判定した場合（ステップＳ５３のＮ）、及びステップＳ５２において検出したディスクの種類がＣＤ−Ｒではない（書き込み不能なディスク）であると判別した場合（ステップＳ５２のＮ）、ディスクがＣＤ−ＤＡであるか否かを判定する（ステップＳ５４）。ＣＤ−ＤＡであると判定した場合（ステップＳ５４のＹ）、ディスクのリードイン領域２１にテキストデータが記録されているか否かを判定し（ステップＳ５５）、記録されていないと判定した場合には（ステップＳ５５のＮ）、そのまま処理を終了する。
【００２４】
一方、テキストデータが記録されていると判定した場合（ステップＳ５５のＹ）、制御回路１は、テキストデータを読み出し、読み出したテキストデータをテキストデータテーブル４１にセットし、ＲＡＭ８に記憶する（ステップＳ５６）。
【００２５】
また、ステップＳ３において、ＰＶＤが存在すると判別した場合（ステップＳ５３のＹ）、制御回路１は、ＭＰ３形式の音声データ（ファイル）が存在するか否かを判別する（ステップＳ５７）。ＭＰ３形式のファイルが存在するか否かは、ファイル名が例えば「ａａａａ．ｍｐ３」のように拡張子が「．ｍｐ３」のファイルがあるか否かで判別できる。
【００２６】
ステップＳ５７において、ＭＰ３形式のファイルが存在しないと判別した場合（ステップＳ５７のＮ）、そのまま初期処理を終了する。一方、ＭＰ３形式のファイルが存在すると判別した場合（ステップＳ５７のＹ）、ＰＶＤを読み出し、所定のフォルダ配下のファイルを検索する（ステップＳ５８）。例えば、ルート直下のフォルダ内に配置された各ファイルを検索する。そして、テキストテーブル４１に検索したファイルを識別するファイル名等をセットする（ステップＳ５９）。すなわち、ディスクタイトルにフォルダ名をセットし、また、トラックタイトルにファイル名をセットし、ＲＡＭ８に記憶する。この結果、初期処理にて、ディスクの種別に従って種別テーブルが生成され、また、ディスクに記録されたテキストデータ又は、ファイル名等に従ってテキストテーブルが生成される。なお、ディスクに記録されたファイル名からテキストテーブルを生成する場合、拡張子部分すなわち「．ｍｐ３」を除いたファイル名を用いてテキストテーブルを生成することで、例えば車載用の表示部の小さい音声再生装置においてファイル名が有効に表示できる。
【００２７】
次に図６に示す再生処理について説明する。図５に示す再生処理は、上述の初期処理終了後に開始される。入力手段６を介して使用者によって所望の音声データが選択されると、制御回路１は、選択された音声データを再生手段２に読み出させる（ステップＳ６１）。そして、読み出させた音声データのＩＤ３−ＴＡＧにテキスト情報が記録されているか否かを判定し（ステップＳ６２）、テキストデータが記録されている場合には（ステップＳ６２のＹ）、そのテキストデータをＲＡＭ８に記憶し表示手段６に表示するとともに、デコーダ部３で音声データを伸長し音声を出力する（ステップＳ６３）。
【００２８】
一方、ＩＤ３−ＴＡＧにテキスト情報が記録されていない場合は（ステップＳ６２のＮ）、上述のステップＳ５６又はステップＳ５９によってＲＡＭ８に記憶させたテキストテーブルに基づいて該当するファイル名を読み出し、表示部６に表示するとともに、デコーダ部３で音声データを伸長し音声を出力する（ステップＳ６４）。なお、テキストテーブルより読み出し表示するのはファイル名だけでなく、ファイル名に加え、フォルダ名又はディスクタイトルを読み出し表示してもよく、又はファイル名とフォルダ名を使用者の入力手段５の操作に基づいて切り替えて表示できるようにしてもよい。
【００２９】
また、ＩＤ３−ＴＡＧにテキストデータが記録されている場合であっても、入力手段５を介して使用者によって任意にＩＤ３−ＴＡＧに記録されたテキストデータを表示させるかテキストテーブルに記憶させたテキストデータを表示するかを切り替え可能としてもよい。
【００３０】
また、上記の実施例ではＣＤ等のディスクを再生する音声再生装置について説明したが、スマートメディア（商標）、メモリスティック（商標）、ＭＭＣ等の記憶媒体を再生可能な音声再生装置であってもよい。
【００３１】
以上説明した音声再生装置においては、例えば１行程度の文字列しか表示できないような小さな表示部しか備えていない音声再生装置であっても、ＩＤ３−ＴＡＧ情報等のテキストデータが記録されていない音声データを再生中においても再生中の音声データに関する情報が表示可能となる。
【図面の簡単な説明】
【００３２】
【図１】本発明の実施形態の音声再生装置の要部の構成を示すブロック図である。
【図２】（ａ）は音楽ＣＤに適用されるデータフォーマットの一例であり、（ｂ）はＣＤ−Ｒ等に適用されるデータフォーマットの一例であり、（ｃ）は（ｂ）のフォーマットにてディスクに記録されている音声データのファイル構造の一例を示す図である。
【図３】ＭＰ３形式で記録された音声データのデータフォーマットの一例である。
【図４】テキストテーブルの一例を示す図である。
【図５】本発明の実施形態の初期処理を説明するフローチャートである。
【図６】本発明の実施形態の再生処理を説明するフローチャートである。
【符号の説明】
【００３３】
１      制御回路
２      再生手段
３      デコーダ部
６      表示手段
８      ＲＡＭ
【図１】
2005251287.tif 000003
【図２】
2005251287.tif 000004
【図３】
2005251287.tif 000005
【図４】
2005251287.tif 000006
【図５】
2005251287.tif 000007
【図６】
2005251287.tif 000008